(57)【特許請求の範囲】
【請求項１】
入力光パルスのパルス幅を圧縮した出力光パルスを出力する圧縮光ファイバと、
前記出力光パルスを分岐して、第一分岐光パルスおよび第二分岐光パルスを出力する光パルス分岐部と、
前記第一分岐光パルスのパワーを測定する第一パワー測定部と、
前記第二分岐光パルスを受け、通過域の内の波長成分を通過させるフィルタと、
前記フィルタを通過した光パルスのパワーを測定する第二パワー測定部と、
前記第一パワー測定部の測定結果と、前記第二パワー測定部の測定結果との比であるパワー比を、目標値に合わせるように、前記入力光パルスのパワーを制御するパワー制御部と、
を備え、
前記出力光パルスが所望のパルス幅であるときに、前記通過域の一部と、前記第二分岐光パルスの信号成分の波長領域の一部とが重なっており、
前記目標値は、前記出力光パルスが前記所望のパルス幅であるときの、前記パワー比である、
出力光パルス幅制御装置。
【請求項２】
請求項１に記載の出力光パルス幅制御装置であって、
前記フィルタはショートパスフィルタであり、
前記通過域の内の波長は、前記フィルタのカットオフ波長以下である、
出力光パルス幅制御装置。
【請求項３】
請求項１に記載の出力光パルス幅制御装置であって、
前記フィルタはロングパスフィルタであり、
前記通過域の内の波長は、前記フィルタのカットオフ波長以上である、
出力光パルス幅制御装置。
【請求項４】
請求項１に記載の出力光パルス幅制御装置であって、
前記入力光パルスを出力する光ファイバアンプを備え、
前記パワー制御部は、
前記光ファイバアンプの増幅度を、前記パワー比に応じて制御する増幅度制御部を有する出力光パルス幅制御装置。
【請求項５】
請求項１に記載の出力光パルス幅制御装置であって、
前記光パルス分岐部は、
前記出力光パルスを分岐して、部分出力光パルスを取得する部分出力光パルス取得部と、
前記部分出力光パルスを分岐して、第一分岐光パルスおよび第二分岐光パルスを出力する分岐光パルス出力部と、
を有する出力光パルス幅制御装置。
【請求項６】
請求項１に記載の出力光パルス幅制御装置であって、
前記パワー制御部は、
前記パワー比を大きくする場合は、前記入力光パルスのパワーを大きくし、
前記パワー比を小さくする場合は、前記入力光パルスのパワーを小さくする、
出力光パルス幅制御装置。
【請求項７】
入力光パルスのパルス幅を圧縮した出力光パルスを出力する圧縮光ファイバと、
前記出力光パルスを分岐して、第一分岐光パルスおよび第二分岐光パルスを出力する光パルス分岐部と、
前記第一分岐光パルスのパワーを測定する第一パワー測定部と、
前記第二分岐光パルスを受け、通過域の内の波長成分を通過させるフィルタと、
前記フィルタを通過した光パルスのパワーを測定する第二パワー測定部と、
を備えた出力光パルス幅制御装置における前記出力光パルスのパルス幅を制御する出力光パルス幅制御方法であって、
前記第一パワー測定部の測定結果と、前記第二パワー測定部の測定結果との比であるパワー比を、目標値に合わせるように、前記入力光パルスのパワーを制御するパワー制御工程を備え、
前記出力光パルスが所望のパルス幅であるときに、前記通過域の一部と、前記第二分岐光パルスの信号成分の波長領域の一部とが重なっており、
前記目標値は、前記出力光パルスが前記所望のパルス幅であるときの、前記パワー比である、
出力光パルス幅制御方法。
【請求項８】
入力光パルスのパルス幅を圧縮した出力光パルスを出力する圧縮光ファイバと、
前記出力光パルスを分岐して、第一分岐光パルスおよび第二分岐光パルスを出力する光パルス分岐部と、
前記第一分岐光パルスのパワーを測定する第一パワー測定部と、
前記第二分岐光パルスを受け、通過域の内の波長成分を通過させるフィルタと、
前記フィルタを通過した光パルスのパワーを測定する第二パワー測定部と、
を備えた出力光パルス幅制御装置における前記出力光パルスのパルス幅を制御する出力光パルス幅制御処理をコンピュータに実行させるためのプログラムであって、
前記出力光パルス幅制御処理は、
前記第一パワー測定部の測定結果と、前記第二パワー測定部の測定結果との比であるパワー比を、目標値に合わせるように、前記入力光パルスのパワーを制御するパワー制御工程を備え、
前記出力光パルスが所望のパルス幅であるときに、前記通過域の一部と、前記第二分岐光パルスの信号成分の波長領域の一部とが重なっており、
前記目標値は、前記出力光パルスが前記所望のパルス幅であるときの、前記パワー比である、
プログラム。
【請求項９】
入力光パルスのパルス幅を圧縮した出力光パルスを出力する圧縮光ファイバと、
前記出力光パルスを分岐して、第一分岐光パルスおよび第二分岐光パルスを出力する光パルス分岐部と、
前記第一分岐光パルスのパワーを測定する第一パワー測定部と、
前記第二分岐光パルスを受け、通過域の内の波長成分を通過させるフィルタと、
前記フィルタを通過した光パルスのパワーを測定する第二パワー測定部と、
を備えた出力光パルス幅制御装置における前記出力光パルスのパルス幅を制御する出力光パルス幅制御処理をコンピュータに実行させるためのプログラムを記録したコンピュータによって読み取り可能な記録媒体であって、
前記出力光パルス幅制御処理は、
前記第一パワー測定部の測定結果と、前記第二パワー測定部の測定結果との比であるパワー比を、目標値に合わせるように、前記入力光パルスのパワーを制御するパワー制御工程を備え、
前記出力光パルスが所望のパルス幅であるときに、前記通過域の一部と、前記第二分岐光パルスの信号成分の波長領域の一部とが重なっており、
前記目標値は、前記出力光パルスが前記所望のパルス幅であるときの、前記パワー比である、
記録媒体。
【発明の詳細な説明】
【技術分野】
【０００１】
本発明は、光ファイバを用いた光パルスの圧縮に関する。
【背景技術】
【０００２】
従来より、光パルスを圧縮することが知られている（例えば、特許文献１の要約を参照）。また、光ファイバを用いて光パルスを圧縮することが可能である。
【０００３】
なお、圧縮した光パルスを計測に用いる場合（例えば、光サンプリングに用いる場合）、圧縮した光パルスのパルス幅を一定にすることが好ましい。
【０００４】
【特許文献１】特開平１１−２９８０７６号公報
【発明の開示】
【発明が解決しようとする課題】
【０００５】
そこで、本発明は、光ファイバを用いて圧縮した光パルスのパルス幅を一定にすることを課題とする。
【課題を解決するための手段】
【０００６】
本発明にかかる出力光パルス幅制御装置は、入力光パルスのパルス幅を圧縮した出力光パルスを出力する圧縮光ファイバと、前記出力光パルスを分岐して、第一分岐光パルスおよび第二分岐光パルスを出力する光パルス分岐部と、前記第一分岐光パルスのパワーを測定する第一パワー測定部と、前記第二分岐光パルスを受け、通過域の内の波長成分を通過させるフィルタと、前記フィルタを通過した光パルスのパワーを測定する第二パワー測定部と、前記第一パワー測定部の測定結果と、前記第二パワー測定部の測定結果との比であるパワー比を、目標値に合わせるように、前記入力光パルスのパワーを制御するパワー制御部と、を備え、前記出力光パルスが所望のパルス幅であるときに、前記通過域の一部と、前記第二分岐光パルスの信号成分の波長領域の一部とが重なっており、前記目標値は、前記出力光パルスが前記所望のパルス幅であるときの、前記パワー比であるように構成される。
【０００７】
上記のように構成された出力光パルス幅制御装置によれば、圧縮光ファイバは、入力光パルスのパルス幅を圧縮した出力光パルスを出力する。光パルス分岐部は、前記出力光パルスを分岐して、第一分岐光パルスおよび第二分岐光パルスを出力する。第一パワー測定部は、前記第一分岐光パルスのパワーを測定する。フィルタは、前記第二分岐光パルスを受け、通過域の内の波長成分を通過させる。第二パワー測定部は、前記フィルタを通過した光パルスのパワーを測定する。パワー制御部は、前記第一パワー測定部の測定結果と、前記第二パワー測定部の測定結果との比であるパワー比を、目標値に合わせるように、前記入力光パルスのパワーを制御する。さらに、前記出力光パルスが所望のパルス幅であるときに、前記通過域の一部と、前記第二分岐光パルスの信号成分の波長領域の一部とが重なっている。しかも、前記目標値は、前記出力光パルスが前記所望のパルス幅であるときの、前記パワー比である。
【０００８】
なお、本発明にかかる出力光パルス幅制御装置は、前記フィルタがショートパスフィルタであり、前記通過域の内の波長は、前記フィルタのカットオフ波長以下であるようにしてもよい。
【０００９】
なお、本発明にかかる出力光パルス幅制御装置は、前記フィルタがロングパスフィルタであり、前記通過域の内の波長は、前記フィルタのカットオフ波長以上であるようにしてもよい。
【００１０】
なお、本発明にかかる出力光パルス幅制御装置は、前記入力光パルスを出力する光ファイバアンプを備え、前記パワー制御部は、前記光ファイバアンプの増幅度を、前記パワー比に応じて制御する増幅度制御部を有するようにしてもよい。
【００１１】
なお、本発明にかかる出力光パルス幅制御装置は、前記光パルス分岐部が、前記出力光パルスを分岐して、部分出力光パルスを取得する部分出力光パルス取得部と、前記部分出力光パルスを分岐して、第一分岐光パルスおよび第二分岐光パルスを出力する分岐光パルス出力部とを有するようにしてもよい。
【００１２】
なお、本発明にかかる出力光パルス幅制御装置は、前記パワー制御部が、前記パワー比を大きくする場合は、前記入力光パルスのパワーを大きくし、前記パワー比を小さくする場合は、前記入力光パルスのパワーを小さくするようにしてもよい。
【００１３】
本発明は、入力光パルスのパルス幅を圧縮した出力光パルスを出力する圧縮光ファイバと、前記出力光パルスを分岐して、第一分岐光パルスおよび第二分岐光パルスを出力する光パルス分岐部と、前記第一分岐光パルスのパワーを測定する第一パワー測定部と、前記第二分岐光パルスを受け、通過域の内の波長成分を通過させるフィルタと、前記フィルタを通過した光パルスのパワーを測定する第二パワー測定部と、を備えた出力光パルス幅制御装置における前記出力光パルスのパルス幅を制御する出力光パルス幅制御方法であって、前記第一パワー測定部の測定結果と、前記第二パワー測定部の測定結果との比であるパワー比を、目標値に合わせるように、前記入力光パルスのパワーを制御するパワー制御工程を備え、前記出力光パルスが所望のパルス幅であるときに、前記通過域の一部と、前記第二分岐光パルスの信号成分の波長領域の一部とが重なっており、前記目標値は、前記出力光パルスが前記所望のパルス幅であるときの、前記パワー比である出力光パルス幅制御方法である。
【００１４】
本発明は、入力光パルスのパルス幅を圧縮した出力光パルスを出力する圧縮光ファイバと、前記出力光パルスを分岐して、第一分岐光パルスおよび第二分岐光パルスを出力する光パルス分岐部と、前記第一分岐光パルスのパワーを測定する第一パワー測定部と、前記第二分岐光パルスを受け、通過域の内の波長成分を通過させるフィルタと、前記フィルタを通過した光パルスのパワーを測定する第二パワー測定部と、を備えた出力光パルス幅制御装置における前記出力光パルスのパルス幅を制御する出力光パルス幅制御処理をコンピュータに実行させるためのプログラムであって、前記出力光パルス幅制御処理は、前記第一パワー測定部の測定結果と、前記第二パワー測定部の測定結果との比であるパワー比を、目標値に合わせるように、前記入力光パルスのパワーを制御するパワー制御工程を備え、前記出力光パルスが所望のパルス幅であるときに、前記通過域の一部と、前記第二分岐光パルスの信号成分の波長領域の一部とが重なっており、前記目標値は、前記出力光パルスが前記所望のパルス幅であるときの、前記パワー比であるプログラムである。
【００１５】
本発明は、入力光パルスのパルス幅を圧縮した出力光パルスを出力する圧縮光ファイバと、前記出力光パルスを分岐して、第一分岐光パルスおよび第二分岐光パルスを出力する光パルス分岐部と、前記第一分岐光パルスのパワーを測定する第一パワー測定部と、前記第二分岐光パルスを受け、通過域の内の波長成分を通過させるフィルタと、前記フィルタを通過した光パルスのパワーを測定する第二パワー測定部と、を備えた出力光パルス幅制御装置における前記出力光パルスのパルス幅を制御する出力光パルス幅制御処理をコンピュータに実行させるためのプログラムを記録したコンピュータによって読み取り可能な記録媒体であって、前記出力光パルス幅制御処理は、前記第一パワー測定部の測定結果と、前記第二パワー測定部の測定結果との比であるパワー比を、目標値に合わせるように、前記入力光パルスのパワーを制御するパワー制御工程を備え、前記出力光パルスが所望のパルス幅であるときに、前記通過域の一部と、前記第二分岐光パルスの信号成分の波長領域の一部とが重なっており、前記目標値は、前記出力光パルスが前記所望のパルス幅であるときの、前記パワー比である記録媒体である。
【発明を実施するための最良の形態】
【００１６】
以下、本発明の実施形態を図面を参照しながら説明する。
【００１７】
第一の実施形態
図１は、本発明の第一の実施形態にかかる出力光パルス幅制御装置１の構成を示す機能ブロック図である。第一の実施形態にかかる出力光パルス幅制御装置１は、光ファイバアンプ１０、圧縮光ファイバ１２、部分出力光パルス取得部１４ａ、分岐光パルス出力部１４ｂ、フィルタ１５、フォトダイオード１６ａ、１６ｂ、Ａ／Ｄコンバータ１８ａ、１８ｂ、パワー制御部２０を備える。
【００１８】
光ファイバアンプ１０は、光パルスＰ１を増幅して、圧縮光ファイバ１２に入力される入力光パルスＰ２を出力する。光ファイバアンプ１０は、例えば、ＥＤＦＡ（Erbium-doped Fiber Amplifier：エルビウム添加光ファイバ増幅器）である。光ファイバアンプ１０に制御信号を与えることにより、光ファイバアンプ１０の増幅度（入力光パルスＰ２のパワー／光パルスＰ１のパワー）を制御できる。
【００１９】
圧縮光ファイバ１２は、入力光パルスＰ２を受け、出力光パルスＰ３を出力する。出力光パルスＰ３は、入力光パルスＰ２のパルス幅を圧縮した光パルスである。圧縮光ファイバ１２は、例えば、高非線形ファイバとシングルモードファイバ（ＳＭＦ）とにより構成される。この場合は、圧縮光ファイバ１２により線形圧縮が行われる。圧縮光ファイバ１２は、例えば、分散減少ファイバである。この場合は、圧縮光ファイバ１２によりソリトン圧縮が行われる。
【００２０】
部分出力光パルス取得部１４ａおよび分岐光パルス出力部１４ｂは、光パルス分岐部を構成する。光パルス分岐部は、出力光パルスＰ３を分岐して、第一分岐光パルスＰ６および第二分岐光パルスＰ７を出力するものである。
【００２１】
部分出力光パルス取得部１４ａは、出力光パルスＰ３を分岐して、計測器用光パルスＰ４および部分出力光パルスＰ５を取得する。計測器用光パルスＰ４のパワーは、部分出力光パルスＰ５のパワーのおよそ９倍になるようにする。
【００２２】
計測器用光パルスＰ４は計測器へ与えられる。計測器は、例えば、計測器用光パルスＰ４を使用して、光サンプリングを行う。光サンプリングに使用するためには、計測器用光パルスＰ４のパルス幅が一定に保たれる必要がある。計測器用光パルスＰ４のパルス幅がサンプラ周波数帯域と等価であるからである。出力光パルスＰ３および計測器用光パルスＰ４のパルス幅は同じなので、出力光パルスＰ３のパルス幅を所望の一定値に保てばよい。出力光パルスＰ３および部分出力光パルスＰ５のパルス幅は同じなので、部分出力光パルスＰ５のパルス幅を所望の一定値に保てばよい。
【００２３】
分岐光パルス出力部１４ｂは、部分出力光パルスＰ５を分岐して、第一分岐光パルスＰ６および第二分岐光パルスＰ７を出力する。なお、第一分岐光パルスＰ６のパワーと、第二分岐光パルスＰ７のパワーとは等しいものとする。
【００２４】
第一分岐光パルスＰ６、第二分岐光パルスＰ７および部分出力光パルスＰ５のパルス幅は同じなので、部分出力光パルスＰ５のパルス幅を所望の一定値に保つためには、第一分岐光パルスＰ６および第二分岐光パルスＰ７のパルス幅を所望の一定値に保てばよい。
【００２５】
一般的に、光パルスのパルス幅と、光パルスの信号成分のスペクトルの幅とは対応関係がある。よって、第一分岐光パルスＰ６および第二分岐光パルスＰ７のパルス幅を所望の一定値に保つためには、第一分岐光パルスＰ６および第二分岐光パルスＰ７の信号成分のスペクトルの幅を一定に保てばよい。スペクトルの幅とは、例えば、半値幅である。
【００２６】
すなわち、出力光パルスＰ３および計測器用光パルスＰ４のパルス幅を一定に保つためには、第一分岐光パルスＰ６および第二分岐光パルスＰ７の信号成分のスペクトルの幅を一定に保てばよい。
【００２７】
図２は、第一の実施形態にかかる第一分岐光パルスＰ６および第二分岐光パルスＰ７の波長とパワーとの関係（図２（ａ））、第一の実施形態にかかるフィルタ１５の透過特性（図２（ｂ））、第一の実施形態にかかる第一分岐光パルスＰ６および第二分岐光パルスＰ７の波長とパワーとの関係と、フィルタ１５の透過特性とを重ねたもの（図２（ｃ））を示す図である。
【００２８】
図２（ａ）は、出力光パルスＰ３のパルス幅が所望の一定値である場合の、第一分岐光パルスＰ６（第二分岐光パルスＰ７）の波長とパワーとの関係を示す図である。第一分岐光パルスＰ６（第二分岐光パルスＰ７）は信号成分とノイズ成分とを有する。第一分岐光パルスＰ６（第二分岐光パルスＰ７）のパワースペクトルは、信号成分の波長領域Ｓ（信号成分に対応する）と、ノイズ部分Ｎ（ノイズ成分に対応する）とを有する。なお、信号成分の波長領域Ｓは、パワースペクトルの信号成分が存在する領域をいう。第一分岐光パルスＰ６および第二分岐光パルスＰ７の信号成分のスペクトルの幅は、信号成分の波長領域Ｓの幅であるともいえる。
【００２９】
フィルタ１５は、第二分岐光パルスＰ７を受け、通過域の内の波長成分を通過させる。第一の実施形態において、フィルタ１５はショートパスフィルタである。
【００３０】
図２（ｂ）を参照して、フィルタ１５は、波長が短い光を透過率ほぼ100％（ゲイン0dB）で透過させるが、光の波長が長くなると透過率が低減する。ここで、フィルタ１５のカットオフ波長（ゲインが−3dBとなる波長）をλcとする。さらに、フィルタ１５は、カットオフ波長以下の波長の光を、カットオフ波長以上の波長の光に比べて、良く透過する。ここで、カットオフ波長以下の波長の領域を通過域、カットオフ波長を超える波長の領域を減衰域という。すなわち、フィルタ１５は、通過域の光を、減衰域の光に比べて良く透過させる。なお、カットオフ波長λcは、変化させることができる。
【００３１】
図２（ｃ）を参照して、出力光パルスＰ３（計測器用光パルスＰ４）のパルス幅が所望の一定値である場合（すなわち、第一分岐光パルスＰ６および第二分岐光パルスＰ７の信号成分のスペクトルの幅がある一定値をとる場合）、通過域（≦λc）の一部と、第二分岐光パルスの信号成分の波長領域Ｓの一部とが重なっている。通過域と、信号成分の波長領域Ｓとが重なっている領域を重複領域Ｈという。
【００３２】
ただし、図２（ｃ）においては、図示の便宜上、フィルタ１５の透過特性における０[dB]を、信号成分の波長領域Ｓの高さよりも、やや高いところに配置している（図３、図４、図５も同様）。さらに、図２（ｃ）においては、図示の便宜上、フィルタ１５の透過特性を、カットオフ波長λcにおいて折れ曲がる折れ線で図示している（図３も同様）。
【００３３】
フォトダイオード１６ａは、第一分岐光パルスＰ６を受光し、第一分岐光パルスＰ６のパワーに相当する電圧を示すアナログの電気信号を出力する。Ａ／Ｄコンバータ１８ａは、フォトダイオード１６ａの出力するアナログ電気信号をデジタル信号に変換する。このデジタル信号の値（第一分岐光パルスＰ６のパワーに相当する電圧の値をデジタルで表現した値）をVaとする。フォトダイオード１６ａとＡ／Ｄコンバータ１８ａとが第一パワー測定部（第一分岐光パルスＰ６のパワーを測定する）に相当する。
【００３４】
フォトダイオード１６ｂは、フィルタ１５を通過した光パルスを受光し、フィルタ１５を通過した光パルスのパワーに相当する電圧を示すアナログの電気信号を出力する。Ａ／Ｄコンバータ１８ｂは、フォトダイオード１６ｂの出力するアナログ電気信号をデジタル信号に変換する。このデジタル信号の値（フィルタ１５を通過した光パルスのパワーに相当する電圧の値をデジタルで表現した値）をVbとする。フォトダイオード１６ｂとＡ／Ｄコンバータ１８ｂとが第二パワー測定部（フィルタ１５を通過した光パルスのパワーを測定する）に相当する。
【００３５】
パワー制御部２０は、第一パワー測定部（フォトダイオード１６ａとＡ／Ｄコンバータ１８ａ）の測定結果Vaと、第二パワー測定部（フォトダイオード１６ｂとＡ／Ｄコンバータ１８ｂ）の測定結果Vbとの比であるパワー比Vb／Vaを、目標値に合わせるように、入力光パルスＰ２のパワーを制御する。
【００３６】
ただし、目標値は、出力光パルスＰ３（計測器用光パルスＰ４）が所望のパルス幅であるときの、パワー比Vb／Vaである。
【００３７】
パワー制御部２０は、パワー比導出部２２、目標値記録部２４、増幅度制御部２６を有する。
【００３８】
パワー比導出部２２は、パワー比Vb／Vaを導出する。目標値記録部２４は、目標値を記録する。
【００３９】
増幅度制御部２６は、光ファイバアンプ１０に制御信号を与えることにより、光ファイバアンプ１０の増幅度を、パワー比に応じて制御する。具体的には、増幅度制御部２６は、パワー比Vb／Vaをパワー比導出部２２から受ける。増幅度制御部２６は、目標値を目標値記録部２４から受ける。ここで、パワー比Vb／Vaが目標値よりも小さい（大きい）場合は、光ファイバアンプ１０の増幅度を大きく（小さく）して、入力光パルスＰ２のパワーを大きく（小さく）し、パワー比Vb／Vaを大きく（小さく）する。
【００４０】
ここで、出力光パルスＰ３（計測器用光パルスＰ４）が所望のパルス幅をとれば、第一分岐光パルスＰ６および第二分岐光パルスＰ７の信号成分のスペクトルの幅がある一定値をとる（図２（ａ）参照）。しかし、出力光パルスＰ３（計測器用光パルスＰ４）が所望のパルス幅をとらない場合、第一分岐光パルスＰ６および第二分岐光パルスＰ７の信号成分のスペクトルの幅が狭すぎる（図３（ａ）参照）、または広すぎる（図３（ｂ）参照）ことになる。
【００４１】
図３は、第一の実施形態にかかる第一分岐光パルスＰ６および第二分岐光パルスＰ７の波長とパワーとの関係と、フィルタ１５の透過特性とを重ねたものを示す図であり、第一分岐光パルスＰ６および第二分岐光パルスＰ７の信号成分のスペクトルの幅が狭すぎる場合（図３（ａ）参照）、広すぎる場合（図３（ｂ）参照）を示す図である。
【００４２】
図３（ａ）を参照して、第一分岐光パルスＰ６および第二分岐光パルスＰ７の信号成分のスペクトルの幅が狭すぎる場合は、重複領域Ｈ（図２（ｃ）参照）が消滅する（または小さくなる）。この場合、フィルタ１５を通過する光は、ほぼノイズ成分だけとなる。よって、Vbが小さくなり、パワー比Vb／Vaもまた小さくなる。
【００４３】
図３（ｂ）を参照して、第一分岐光パルスＰ６および第二分岐光パルスＰ７の信号成分のスペクトルの幅が広すぎる場合は、重複領域Ｈ（図２（ｃ）参照）が大きくなる。この場合、フィルタ１５を通過する光のパワーは、図２（ｃ）の場合よりも大きくなる。よって、Vbが大きくなり、パワー比Vb／Vaもまた大きくなる。
【００４４】
パワー比Vb／Vaが目標値に比べて小さい場合は、増幅度制御部２６は、第一分岐光パルスＰ６および第二分岐光パルスＰ７の信号成分のスペクトルの幅を広くして、パワー比Vb／Vaを大きくする。第一分岐光パルスＰ６および第二分岐光パルスＰ７の信号成分のスペクトルの幅を広くする（すなわち、出力光パルスＰ３の信号成分のスペクトルの幅を広くする）ためには、入力光パルスＰ２のパワーを大きくすればよい。入力光パルスＰ２のパワーが大きくなれば、自己位相変調効果により、出力光パルスＰ３の信号成分のスペクトルの幅が広がる。よって、増幅度制御部２６は、光ファイバアンプ１０の増幅度を大きくするように制御する。
【００４５】
パワー比Vb／Vaが目標値に比べて大きい場合は、増幅度制御部２６は、第一分岐光パルスＰ６および第二分岐光パルスＰ７の信号成分のスペクトルの幅を狭くして、パワー比Vb／Vaを小さくする。第一分岐光パルスＰ６および第二分岐光パルスＰ７の信号成分のスペクトルの幅を狭くする（すなわち、出力光パルスＰ３の信号成分のスペクトルの幅を狭くする）ためには、入力光パルスＰ２のパワーを小さくすればよい。よって、増幅度制御部２６は、光ファイバアンプ１０の増幅度を小さくするように制御する。
【００４６】
次に、第一の実施形態の動作を説明する。
【００４７】
光パルスＰ１は光ファイバアンプ１０により増幅され、入力光パルスＰ２となる。入力光パルスＰ２は圧縮光ファイバ１２によりパルス幅が圧縮され、出力光パルスＰ３となる。出力光パルスＰ３は、部分出力光パルス取得部１４ａにより、計測器用光パルスＰ４（計測器に与えられる）および部分出力光パルスＰ５に分岐される。部分出力光パルスＰ５は分岐光パルス出力部１４ｂにより、第一分岐光パルスＰ６および第二分岐光パルスＰ７に分岐される。
【００４８】
第一分岐光パルスＰ６は、フォトダイオード１６ａによりアナログ電気信号（第一分岐光パルスＰ６のパワーに相当する電圧を示す）に変換され、Ａ／Ｄコンバータ１８ａにより、デジタル化される（値はVa）。
【００４９】
第二分岐光パルスＰ７は、フィルタ１５に与えられる。フィルタ１５を通過した光パルスは、フォトダイオード１６ｂによりアナログ電気信号（フィルタ１５を通過した光パルスのパワーに相当する電圧を示す）に変換され、Ａ／Ｄコンバータ１８ｂにより、デジタル化される（値はVb）。
【００５０】
パワー制御部２０のパワー比導出部２２は、VaおよびVbを受け、パワー比Vb／Vaを導出する。増幅度制御部２６は、パワー比Vb／Vaをパワー比導出部２２から受ける。増幅度制御部２６は、目標値を目標値記録部２４から受ける。ここで、パワー比Vb／Vaが目標値よりも小さい（大きい）場合は、光ファイバアンプ１０の増幅度を大きく（小さく）して、入力光パルスＰ２のパワーを大きく（小さく）し、パワー比Vb／Vaを大きく（小さく）する。
【００５１】
第一の実施形態によれば、第一分岐光パルスＰ６および第二分岐光パルスＰ７の信号成分のスペクトルの幅をある一定値にすることにより、出力光パルスＰ３（計測器用光パルスＰ４）が所望のパルス幅をとるようにすることができる。
【００５２】
しかも、第一分岐光パルスＰ６および第二分岐光パルスＰ７の信号成分のスペクトルの幅を一定にするために、パワー比Vb／Vaを測定し、測定結果に基づき、光ファイバアンプ１０の増幅度を制御する。第一分岐光パルスＰ６および第二分岐光パルスＰ７の信号成分のスペクトルの幅自体を光スペクトラムアナライザにより測定するといった手法に比較して、出力光パルス幅制御装置１を簡便にすることができる。
【００５３】
第二の実施形態
第二の実施形態にかかる出力光パルス幅制御装置１は、第一の実施形態にかかる出力光パルス幅制御装置１のフィルタ１５をロングパスフィルタに置き換えたものである。
【００５４】
第二の実施形態にかかる出力光パルス幅制御装置１の構成は、第一の実施形態と同様である（図１参照）。第二の実施形態にかかる出力光パルス幅制御装置１は、光ファイバアンプ１０、圧縮光ファイバ１２、部分出力光パルス取得部１４ａ、分岐光パルス出力部１４ｂ、フィルタ１５、フォトダイオード１６ａ、１６ｂ、Ａ／Ｄコンバータ１８ａ、１８ｂ、パワー制御部２０を備える。光ファイバアンプ１０、圧縮光ファイバ１２、部分出力光パルス取得部１４ａ、分岐光パルス出力部１４ｂ、フォトダイオード１６ａ、１６ｂ、Ａ／Ｄコンバータ１８ａ、１８ｂは第一の実施形態と同様であり説明を省略する。
【００５５】
図４は、第二の実施形態にかかる第一分岐光パルスＰ６および第二分岐光パルスＰ７の波長とパワーとの関係（図４（ａ））、第二の実施形態にかかるフィルタ１５の透過特性（図４（ｂ））、第二の実施形態にかかる第一分岐光パルスＰ６および第二分岐光パルスＰ７の波長とパワーとの関係と、フィルタ１５の透過特性とを重ねたもの（図４（ｃ））を示す図である。
【００５６】
図４（ａ）は図２（ａ）と同じであるため、説明を省略する。
【００５７】
フィルタ１５は、第二分岐光パルスＰ７を受け、通過域の内の波長成分を通過させる。第二の実施形態において、フィルタ１５はロングパスフィルタである。
【００５８】
図４（ｂ）を参照して、フィルタ１５は、波長が長い光を透過率ほぼ100％（ゲイン0dB）で透過させるが、光の波長が短くなると透過率が低減する。ここで、フィルタ１５のカットオフ波長（ゲインが−3dBとなる波長）をλcとする。さらに、フィルタ１５は、カットオフ波長以上の波長の光を、カットオフ波長以下の波長の光に比べて、良く透過する。ここで、カットオフ波長以上の波長の領域を通過域、カットオフ波長未満の波長の領域を減衰域という。すなわち、フィルタ１５は、通過域の光を、減衰域の光に比べて良く透過させる。なお、カットオフ波長λcは、変化させることができる。
【００５９】
図４（ｃ）を参照して、出力光パルスＰ３（計測器用光パルスＰ４）のパルス幅が所望の一定値である場合（すなわち、第一分岐光パルスＰ６および第二分岐光パルスＰ７の信号成分のスペクトルの幅がある一定値をとる場合）、通過域（≧λc）の一部と、第二分岐光パルスの信号成分の波長領域Ｓの一部とが重なっている。通過域と、信号成分の波長領域Ｓとが重なっている領域を重複領域Ｈという。
【００６０】
ただし、図４（ｃ）においては、図示の便宜上、フィルタ１５の透過特性における０[dB]を、信号成分の波長領域Ｓの高さよりも、やや高いところに配置している（図５も同様）。さらに、図４（ｃ）においては、図示の便宜上、フィルタ１５の透過特性を、カットオフ波長λcにおいて折れ曲がる折れ線で図示している（図５も同様）。
【００６１】
パワー制御部２０は、第一パワー測定部（フォトダイオード１６ａとＡ／Ｄコンバータ１８ａ）の測定結果Vaと、第二パワー測定部（フォトダイオード１６ｂとＡ／Ｄコンバータ１８ｂ）の測定結果Vbとの比であるパワー比Vb／Vaを、目標値に合わせるように、入力光パルスＰ２のパワーを制御する。
【００６２】
ただし、目標値は、出力光パルスＰ３（計測器用光パルスＰ４）が所望のパルス幅であるときの、パワー比Vb／Vaである。
【００６３】
パワー制御部２０は、パワー比導出部２２、目標値記録部２４、増幅度制御部２６を有する。
【００６４】
パワー比導出部２２は、パワー比Vb／Vaを導出する。目標値記録部２４は、目標値を記録する。
【００６５】
増幅度制御部２６は、光ファイバアンプ１０に制御信号を与えることにより、光ファイバアンプ１０の増幅度を、パワー比に応じて制御する。具体的には、増幅度制御部２６は、パワー比Vb／Vaをパワー比導出部２２から受ける。増幅度制御部２６は、目標値を目標値記録部２４から受ける。ここで、パワー比Vb／Vaが目標値よりも小さい（大きい）場合は、光ファイバアンプ１０の増幅度を大きく（小さく）して、入力光パルスＰ２のパワーを大きく（小さく）し、パワー比Vb／Vaを大きく（小さく）する。
【００６６】
ここで、出力光パルスＰ３（計測器用光パルスＰ４）が所望のパルス幅をとれば、第一分岐光パルスＰ６および第二分岐光パルスＰ７の信号成分のスペクトルの幅がある一定値をとる（図４（ａ）参照）。しかし、出力光パルスＰ３（計測器用光パルスＰ４）が所望のパルス幅をとらない場合、第一分岐光パルスＰ６および第二分岐光パルスＰ７の信号成分のスペクトルの幅が狭すぎる（図５（ａ）参照）、または広すぎる（図５（ｂ）参照）ことになる。
【００６７】
図５は、第二の実施形態にかかる第一分岐光パルスＰ６および第二分岐光パルスＰ７の波長とパワーとの関係と、フィルタ１５の透過特性とを重ねたものを示す図であり、第一分岐光パルスＰ６および第二分岐光パルスＰ７の信号成分のスペクトルの幅が狭すぎる場合（図５（ａ）参照）、広すぎる場合（図５（ｂ）参照）を示す図である。
【００６８】
図５（ａ）を参照して、第一分岐光パルスＰ６および第二分岐光パルスＰ７の信号成分のスペクトルの幅が狭すぎる場合は、重複領域Ｈ（図４（ｃ）参照）が消滅する（または小さくなる）。この場合、フィルタ１５を通過する光は、ほぼノイズ成分だけとなる。よって、Vbが小さくなり、パワー比Vb／Vaもまた小さくなる。
【００６９】
図５（ｂ）を参照して、第一分岐光パルスＰ６および第二分岐光パルスＰ７の信号成分のスペクトルの幅が広すぎる場合は、重複領域Ｈ（図４（ｃ）参照）が大きくなる。この場合、フィルタ１５を通過する光のパワーは、図４（ｃ）の場合よりも大きくなる。よって、Vbが大きくなり、パワー比Vb／Vaもまた大きくなる。
【００７０】
パワー比Vb／Vaが目標値に比べて小さい場合は、増幅度制御部２６は、第一分岐光パルスＰ６および第二分岐光パルスＰ７の信号成分のスペクトルの幅を広くして、パワー比Vb／Vaを大きくする。第一分岐光パルスＰ６および第二分岐光パルスＰ７の信号成分のスペクトルの幅を広くする（すなわち、出力光パルスＰ３の信号成分のスペクトルの幅を広くする）ためには、入力光パルスＰ２のパワーを大きくすればよい。入力光パルスＰ２のパワーが大きくなれば、自己位相変調効果により、出力光パルスＰ３の信号成分のスペクトルの幅が広がる。よって、増幅度制御部２６は、光ファイバアンプ１０の増幅度を大きくするように制御する。
【００７１】
パワー比Vb／Vaが目標値に比べて大きい場合は、増幅度制御部２６は、第一分岐光パルスＰ６および第二分岐光パルスＰ７の信号成分のスペクトルの幅を狭くして、パワー比Vb／Vaを小さくする。第一分岐光パルスＰ６および第二分岐光パルスＰ７の信号成分のスペクトルの幅を狭くする（すなわち、出力光パルスＰ３の信号成分のスペクトルの幅を狭くする）ためには、入力光パルスＰ２のパワーを小さくすればよい。よって、増幅度制御部２６は、光ファイバアンプ１０の増幅度を小さくするように制御する。
【００７２】
第二の実施形態の動作は、第一の実施形態の動作と同様であるため説明を省略する。
【００７３】
第二の実施形態によれば、第一の実施形態と同様な効果を奏する。
【００７４】
また、上記の実施形態は、以下のようにして実現できる。ＣＰＵ、ハードディスク、メディア（フロッピー（登録商標）ディスク、ＣＤ−ＲＯＭなど）読み取り装置を備えたコンピュータに、上記の各部分（例えば、パワー制御部２０）を実現するプログラムを記録したメディアを読み取らせて、ハードディスクにインストールする。このような方法でも、上記の機能を実現できる。
【図面の簡単な説明】
【００７５】
【図１】本発明の第一の実施形態にかかる出力光パルス幅制御装置１の構成を示す機能ブロック図である。
【図２】第一の実施形態にかかる第一分岐光パルスＰ６および第二分岐光パルスＰ７の波長とパワーとの関係（図２（ａ））、第一の実施形態にかかるフィルタ１５の透過特性（図２（ｂ））、第一の実施形態にかかる第一分岐光パルスＰ６および第二分岐光パルスＰ７の波長とパワーとの関係と、フィルタ１５の透過特性とを重ねたもの（図２（ｃ））を示す図である。
【図３】第一の実施形態にかかる第一分岐光パルスＰ６および第二分岐光パルスＰ７の波長とパワーとの関係と、フィルタ１５の透過特性とを重ねたものを示す図であり、第一分岐光パルスＰ６および第二分岐光パルスＰ７の信号成分のスペクトルの幅が狭すぎる場合（図３（ａ）参照）、広すぎる場合（図３（ｂ）参照）を示す図である。
【図４】第二の実施形態にかかる第一分岐光パルスＰ６および第二分岐光パルスＰ７の波長とパワーとの関係（図４（ａ））、第二の実施形態にかかるフィルタ１５の透過特性（図４（ｂ））、第二の実施形態にかかる第一分岐光パルスＰ６および第二分岐光パルスＰ７の波長とパワーとの関係と、フィルタ１５の透過特性とを重ねたもの（図４（ｃ））を示す図である。
【図５】第二の実施形態にかかる第一分岐光パルスＰ６および第二分岐光パルスＰ７の波長とパワーとの関係と、フィルタ１５の透過特性とを重ねたものを示す図であり、第一分岐光パルスＰ６および第二分岐光パルスＰ７の信号成分のスペクトルの幅が狭すぎる場合（図５（ａ）参照）、広すぎる場合（図５（ｂ）参照）を示す図である。
【符号の説明】
【００７６】
１  出力光パルス幅制御装置
１０  光ファイバアンプ
１２  圧縮光ファイバ
１４ａ  部分出力光パルス取得部
１４ｂ  分岐光パルス出力部
１５  フィルタ
１６ａ、１６ｂ  フォトダイオード
１８ａ、１８ｂ  Ａ／Ｄコンバータ
２０  パワー制御部
２２  パワー比導出部
２４  目標値記録部
２６  増幅度制御部
Ｐ２  入力光パルス
Ｐ３  出力光パルス
Ｐ４  計測器用光パルス
Ｐ５  部分出力光パルス
Ｐ６  第一分岐光パルス
Ｐ７  第二分岐光パルス
Ｓ  信号成分の波長領域
Ｎ  ノイズ部分
Ｈ  重複領域
【図１】
0005028240.tif 000002
【図２】
0005028240.tif 000003
【図３】
0005028240.tif 000004
【図４】
0005028240.tif 000005
【図５】
0005028240.tif 000006